(57)【要約】【課題】エキスパンションジョイント天井構造において、天井基材が繊維質板材で構成されても、天井パネル部材を安定して取り付ける。【解決手段】第１躯体側の天井部１１と第２躯体側の天井部２１との隙間３０ａを覆う状態で設けられた天井パネル部材４０と、パネル部材４０の一端部４０ａを天井部１１に固定する固定機構部５０と、パネル部材４０の他端部４０ｂを天井部２１にスライド自在に支持させるスライド機構部６０とを備え、パネル部材４０が、天井基材４１と、その両側辺部の夫々に添設された添え材４２とから構成され、固定機構部５０が、天井部１１の縁部に固定された受け部材５１と、天井基材４１の上面４０ｃに設置された抑え部材５２とを有し、受け部材５１にパネル部材４０の一端部４０ａを載置した状態で抑え部材５２を受け部材５１に固定して、部材５１，５２間で添え材４２を挟持する。【選択図】図２
2020100973.tif 000002
【特許請求の範囲】
【請求項１】
間隙を介して隣接する第１建物躯体と第２建物躯体との間を連絡する連絡部において前記第１建物躯体側の第１天井部と前記第２建物躯体側の第２天井部との隙間を覆う状態で設けられた天井パネル部材と、
前記天井パネル部材の一端部を前記第１天井部に固定する固定機構部と、
前記天井パネル部材の他端部を前記第２天井部にスライド自在に支持させるスライド機構部と、を備えたエキスパンションジョイント天井構造であって、
前記天井パネル部材が、矩形の繊維質板材からなる天井基材と、当該天井基材の少なくとも両側辺部の夫々に添設された撓み変形抑制用の添え材とから構成され、
前記固定機構部が、前記第１天井部の縁部に固定された受け部材と、前記天井パネル部材の天井基材の上面に設置された抑え部材と、を有し、前記受け部材に前記天井パネル部材の一端部を載置した状態で前記抑え部材を前記受け部材に固定して、前記抑え部材と前記受け部材とで前記天井パネル部材の添え材を挟持するように構成されているエキスパンションジョイント天井構造。
【請求項２】
前記スライド機構部が、前記第２天井部に設けられたはね出し部の上面に前記天井パネル部材の端部を載置して構成されている請求項１に記載のエキスパンションジョイント天井構造。
【請求項３】
前記抑え部材が、前記天井パネル部材の上面を横断する帯状部と、当該帯状部の両端部から前記天井パネル部材の添え材の外面に沿う方向に屈曲する位置決め用の折片部とを有して形成されている請求項１又は２に記載のエキスパンションジョイント天井構造。
【請求項４】
前記固定機構部において、前記抑え部材が前記受け部材に螺子で固定され、当該螺子が前記天井基材を貫通するように配置されている請求項１〜３の何れか１項に記載のエキスパンションジョイント天井構造。
【請求項５】
前記抑え部材が、下向きに突出形成されて前記天井基材に刺し込まれる刺込部を有する請求項１〜４の何れか１項に記載のエキスパンションジョイント天井構造。
【発明の詳細な説明】
【技術分野】
【０００１】
本発明は、間隙を介して隣接する第１建物躯体と第２建物躯体との間を連絡する連絡部において前記第１建物躯体側の第１天井部と前記第２建物躯体側の第２天井部との隙間を覆う状態で設けられた天井パネル部材を備えたエキスパンションジョイント天井構造に関する。
【背景技術】
【０００２】
上記エキスパンションジョイント天井構造として、連絡部を挟む両建物躯体の相対的な変動に起因して、この連絡部の天井部を覆う天井パネル部材が脱落又は崩壊することを防止するために、天井パネル部材の一端部を一方側の建物躯体に固定すると共に、天井パネル部材の他端部を他方側の建物躯体に対してスライド自在に支持させたものが知られている（例えば、特許文献１を参照。）。
また、一般的な天井パネル部材として、天井基材が繊維質板材で構成されているために超軽量（約１ｋｇ／ｍ２）で高い柔軟性を有するもの知られている（特許文献２を参照。）。
【先行技術文献】
【特許文献】
【０００３】
【特許文献１】特開平０９−３１０４１５号公報
【特許文献２】特開２０１７−１９３８８６号公報
【発明の概要】
【発明が解決しようとする課題】
【０００４】
特許文献１に記載のエキスパンションジョイント構造において、施工作業性及び安全性の向上を図るべく、特許文献２に記載のような柔軟性が高い天井パネル部材を採用する場合には、建物躯体間の隙間を覆う状態に天井パネル部材の姿勢を安定させるように取り付けることが困難となる。
この実情に鑑み、本発明の主たる課題は、エキスパンションジョイント天井構造において、天井基材が繊維質板材で構成された安全性の高い天井パネル部材を採用する場合であっても、当該天井パネル部材を安定して取り付けることができる技術を提供する点にある。
【課題を解決するための手段】
【０００５】
本発明の第１特徴構成は、間隙を介して隣接する第１建物躯体と第２建物躯体との間を連絡する連絡部において前記第１建物躯体側の第１天井部と前記第２建物躯体側の第２天井部との隙間を覆う状態で設けられた天井パネル部材と、
前記天井パネル部材の一端部を前記第１天井部に固定する固定機構部と、
前記天井パネル部材の他端部を前記第２天井部にスライド自在に支持させるスライド機構部と、を備えたエキスパンションジョイント天井構造であって、
前記天井パネル部材が、矩形の繊維質板材からなる天井基材と、当該天井基材の少なくとも両側辺部の夫々に添設された撓み変形抑制用の添え材とから構成され、
前記固定機構部が、前記第１天井部の縁部に固定された受け部材と、前記天井パネル部材の天井基材の上面に設置された抑え部材と、を有し、前記受け部材に前記天井パネル部材の一端部を載置した状態で前記抑え部材を前記受け部材に固定して、前記抑え部材と前記受け部材とで前記天井パネル部材の添え材を挟持するように構成されている点にある。
【０００６】
本構成によれば、エキスパンションジョイント天井構造において、天井基材が繊維質板材で構成された安全性の高い天井パネル部材を採用する場合であっても、当該天井パネル部材を安定して取り付けることができる。
即ち、この天井パネル部材は、矩形の繊維質板材からなる天井基材の少なくとも両側辺部の夫々に添設された撓み変形抑制用の添え材を有している。そして、天井パネル部材の一端部を第１天井部に固定する固定機構部において、この天井パネル部材の両側辺部の夫々に添付された一対の添え材が、第１天井部の縁部に固定され天井パネル部材の一端部が載置される受け部材（例えば受け金物）と、当該受け部材に固定され天井パネル部材の天井基材の上面を横断する帯状の抑え部材（例えば受け金物）とで挟持される。すると、これら一対の添え材の姿勢は、第１天井部側の固定機構部から第２天井部側のスライド機構部に延出する状態で安定したものに維持されることになる。よって、これら一対の添え材の間に設けられた繊維質板材からなる天井基材は、これら姿勢が安定された一対の添え材により撓み変形が抑制されることになり、結果、天井パネル部材が安定した姿勢で取り付けられることになる。
【０００７】
本発明の第２特徴構成は、前記スライド機構部が、前記第２天井部に設けられたはね出し部の上面に前記天井パネル部材の端部を載置して構成されている点にある。
【０００８】
本構成によれば、上述のように天井パネル部材が安定した姿勢で取り付けられていることから、第２天井部にはね出し部を設け、そのはね出し部の上面に天井パネル部材の端部を載置するという簡単な構成を採用するだけで、天井パネル部材の端部を第２天井部にスライド自在に支持させるスライド機構部を実現することができる。
【０００９】
本発明の第３特徴構成は、前記抑え部材が、前記天井パネル部材の上面を横断する帯状部と、当該帯状部の両端部から前記天井パネル部材の添え材の外面に沿う方向に屈曲する位置決め用の折片部とを有して形成されている点にある。
【００１０】
本構成によれば、抑え部材を天井パネル部材に取り付けるにあたり、当該抑え部材の帯状部を天井パネル部材の天井基材の上面に沿わせた状態で、当該帯状部の両端部から屈曲する折片部を天井パネル部材の添え材の外面に沿わせることで、当該抑え部材を簡単且つ正確に位置決めすることができる。更に、正確に位置決めされた抑え部材と受け部材とで挟持される添え材の姿勢を正確且つ一層安定したものに維持することができ、この添え材によって形状が規定される天井パネル部材を一層安定した姿勢で取り付けることができる。
【００１１】
本発明の第４特徴構成は、前記固定機構部において、前記抑え部材が前記受け部材に螺子で固定され、当該螺子が前記天井基材を貫通するように配置されている点にある。
【００１２】
本構成によれば、天井パネル部材の天井基材には、その上下を挟む抑え部材と受け部材とにわたる螺子が貫通することになるので、天井パネル部材において柔軟性が高い天井基材のずれを好適に防止することができる。
【００１３】
本発明の第５特徴構成は、前記抑え部材が、下向きに突出形成されて前記天井基材に刺し込まれる刺込部を有する点にある。
【００１４】
本構成によれば、天井パネル部材の上面に設置された抑え部材に突出形成された刺込部が天井基材に刺し込まれているので、天井パネル部材において柔軟性が高い天井基材のずれを好適に防止することができる。
【図面の簡単な説明】
【００１５】
【図１】エキスパンションジョイント天井構造の全体構成図
【図２】エキスパンションジョイント天井構造の分解斜視図
【図３】固定機構部の拡大図
【図４】スライド機構部の拡大図
【図５】（ａ）天井パネル部材の分解図、（ｂ）天井パネル部材の短手方向の断面図
【発明を実施するための形態】
【００１６】
本発明の実施形態について図面に基づいて説明する。
図１に示すエキスパンションジョイント天井構造（以下、「本天井構造」と呼ぶ。）１００は、間隙を介して隣接する第１建物躯体１０と第２建物躯体２０との間を連絡する通路等の連絡部３０において、第１建物躯体１０側の第１天井部１１と第２建物躯体２０側の第２天井部２１との隙間３０ａを覆う状態で設置された天井構造として構成されている。
【００１７】
この連絡部３０には、図２にも示すように、その天井部を覆う複数の天井パネル部材４０が並設設置されている。
天井パネル部材４０としては、施工作業性及び安全性の向上を図るべく、天井基材４１（図３参照）が繊維質板材で構成された超軽量（約１ｋｇ／ｍ２）で高い柔軟性を有するものが用いられている。更に、連絡部３０を挟む両建物躯体１０，２０の地震等による相対的な変動に起因して、天井パネル部材４０の脱落又は崩壊を防止するために、天井パネル部材４０の一端部４０ａは、固定機構部５０により一方側の第１建物躯体１０に固定されていると共に、天井パネル部材４０の他端部４０ｂは、スライド機構部６０により他方側の第２建物躯体２０に対してスライド自在に支持されている。
そして、本天井構造１００は、上記のように天井基材４１が繊維質板材で構成されていることから柔軟性が高い天井パネル部材４０を採用する場合であっても、当該天井パネル部材４０を安定して取り付けるための特徴構成を採用している。かかる特徴構成を実現するための、天井パネル部材４０、固定機構部５０、及びスライド機構部６０に関連する詳細構成に関して、以下に説明を加える。
【００１８】
〔天井パネル部材〕
図５に示すように、天井パネル部材４０は、軽量な繊維質材である天井基材４１を主要構成とする矩形板状の軽量天井材として構成されている。即ち、天井パネル部材４０には、繊維質材の一例であるグラスウールを矩形板状に成形した天井基材４１と、天井基材４１の両側辺部４１ａの夫々に添設されて当該天井基材４１の撓み変形を抑制する帯板状の撓み変形抑制用の添え材４２と、天井基材４１の下面部を被覆する不燃性又は難燃性で可撓性を有した表面材４３が備えられている。
【００１９】
撓み変形抑制用の添え材４２は、例えば、アルミ合金やスチールなどで製作された細長い帯板状の板材にて構成されている。添え材４２の幅寸法（図５中の上下方向に沿う高さ寸法）は、天井基材４１の高さ寸法（厚み寸法）と同一又は略同一である。また、添え材４２の長さ寸法は、天井基材４１の外周辺部のうちの長辺部の長さ寸法と同一又は略同一である。そして、この添え材４２は、天井基材４１の一対の長辺部の各々の端面部の全域を覆う状態で当該長辺部の端面部の全域に接着剤などの接着手段で接合されている。
【００２０】
この添え材４２により、重量の増加を極力抑えながら天井基材４１の撓み剛性が適切且つ効率的に補強されている。よって、天井パネル部材４０が添え材４２の間に架設された状態で天井パネル部材４０の長手方向中間部が垂れ下がるのが抑制される。しかも、天井パネル部材４０の長手方向に沿って互いに向かい合う一対の受け部材５１，６１に天井パネル部材４０を架設させた状態（図２を参照。）では、天井基材４１の両側辺部４１ａの全域に接合させた添え材４２も一対の受け部材５１，６１に架設することができる。よって天井パネル部材４０が落下し難い状態で適切に架設されることになる。
尚、本実施形態では、天井基材４１の両側辺部４１ａにのみ添え材４２を添設しているが、両側辺部４１ａ以外の辺部に対しても同様の添え材を添設しても構わない。
【００２１】
不燃性又は難燃性の表面材４３は、例えば、ガラスペーパーなどの素材にて構成され、添え材４２が配置された天井基材４１の両側辺部４１ａを巻く状態で、天井基材４１の下面部、当該両側辺部４１ａ、上面部の両側辺部４１ａ側を被覆するように構成されている。当該表面材４３は、張力を付与して皺をなくした状態で、天井基材４１の両側辺部４１ａに接着接合された添え材４２に接着剤などの接着手段で接合されている。
【００２２】
〔固定機構部〕
図１及び図３に示すように、第１建物躯体１０側の第１天井部１１を構成する天井パネル１６は、第１建物躯体１０の天井スラブ等から垂下する吊りボルト１２により支持された野縁受け１３に対してクリップ１４を介して取り付けられた野縁１５の下面に固定されている。そして、固定機構部５０は、第１天井部１１の隙間３０ａ側（第２建物躯体２０に近い側）の縁部１１ａにおいて、天井パネル部材４０の一端部４０ａを第１天井部１１に固定するものとして構成されている。
即ち、固定機構部５０は、第１天井部１１の縁部１１ａに固定された受け部材５１と、天井パネル部材４０の天井基材４１の上面４０ｃに設置された抑え部材５２と、を有する。
【００２３】
受け部材５１は、第１天井部１１の縁部１１ａに沿って長尺な金物で構成されている。このような金物で構成された受け部材５１は、天井パネル部材４０と天井パネル１６との隙間を覆う状態で野縁受け１３の端部に固定された見切り材として構成されている。そして、受け部材５１の上面には、天井パネル部材４０の一端部４０ａが載置される受け面５１ａが段部として形成されている。
【００２４】
抑え部材５２は、図２にも示すように、受け部材５１の長手方向に沿った天井パネル部材４０の幅全体に亘る金物として構成されている。また、抑え部材５２は、受け部材５１に天井パネル部材４０の一端部４０ａを載置した状態で天井パネル部材４０の天井基材４１の上面４０ｃに設置されて受け部材５１に固定されるものとして構成されている。
【００２５】
そして、図２に示すように、固定機構部５０は、抑え部材５２と受け部材５１とで天井パネル部材４０の添え材４２を挟持するものとして構成されている。即ち、天井パネル部材４０において天井基材４１の両側辺部４１ａの夫々に添付された一対の添え材４２が、天井パネル部材４０の一端部４０ａが載置される受け部材５１と、その天井パネル部材４０の上面４０ｃを横断する帯状の抑え部材５２とで挟持される。
【００２６】
すると、これら一対の添え材４２の姿勢は、第１天井部１１側の固定機構部５０から第２天井部２１側に延出する状態で安定したものに維持される。よって、一対の添え材４２の間に設けられた繊維質板材からなる天井基材４１は、これら姿勢が安定された一対の添え材４２により撓み変形が抑制されることになり、結果、天井パネル部材４０が安定した姿勢で取り付けられることになる。
【００２７】
抑え部材５２は、天井パネル部材４０の上面４０ｃを受け部材５１の長手方向に沿って横断する帯状部５２Ａと、当該帯状部５２Ａの長手方向の両端部から天井パネル部材４０の添え材４２の外面４２ａ（図５参照）に沿う方向に屈曲する位置決め用の折片部５２Ｂと、当該帯状部５２Ａのスライド機構部６０側の端部から下向きに突出形成されて天井基材４１に形成された切込部４１ｂに刺し込まれる刺込部５２Ｃと、を有して形成されている。
【００２８】
このような抑え部材５２を採用することにより、抑え部材５２を天井パネル部材４０に取り付けるにあたり、当該抑え部材５２の帯状部５２Ａを、天井パネル部材４０の天井基材４１の上面４０ｃに沿わせた状態で、当該帯状部５２Ａの両端部から屈曲する折片部５２Ｂを天井パネル部材４０の添え材４２の外面４２ａに沿わせることで、当該抑え部材５２が簡単且つ正確に位置決めされる。すると、この抑え部材５２と受け部材５１とで挟持される添え材４２の姿勢が正確且つ一層安定したものに維持されることになって、この添え材４２によって形状が規定される天井パネル部材４０が一層安定した姿勢で取り付けられている。更に、抑え部材５２に突出形成された刺込部５２Ｃが天井基材４１の切込部４１ｂに刺し込まれるので、天井パネル部材４０において柔軟性が高い天井基材４１のずれが好適に防止されている。
【００２９】
また、天井パネル部材４０の一端部４０ａの上面４０ｃに設置された抑え部材５２は、当該天井パネル部材４０の一端部４０ａが載置される受け部材５１に対して、当該抑え部材５２の長手方向に沿って複数配置された螺子５６により固定される。また、これら螺子５６は、上方側から抑え部材５２に形成された螺子孔５２ａに挿通され、天井基材４１を貫通した上で、受け部材５１の受け面５１ａに形成された螺子孔５１ｂに螺合するように取り付けられる。即ち、天井パネル部材４０の天井基材４１には、その上下を挟む抑え部材５２と受け部材５１とにわたる螺子５６が貫通することになる。よって、この螺子５６により、天井パネル部材４０において柔軟性が高い天井基材４１のずれが好適に防止されている。尚、螺子５６として下穴が不要なドリルビスを用いる場合には、螺子孔５１ｂ，５２ａを予め形成しておかなくてもよい。
【００３０】
〔スライド機構部〕
図１及び図４に示すように、第２建物躯体２０側の第２天井部２１を構成する天井パネル２６は、第２建物躯体２０の天井スラブ等に固定された吊り柱２２及び当該吊り柱２２の下端に固定された連結部材２３により支持された野縁受け２４に対して取り付けられた野縁２５の下面に固定されている。そして、スライド機構部６０は、第２天井部２１の隙間３０ａ側（第１建物躯体１０に近い側）の縁部２１ａにおいて、天井パネル部材４０の他端部４０ｂを第２天井部２１にスライド自在に支持させるものとして構成されている。
即ち、スライド機構部６０は、第２天井部２１の縁部２１ａに固定された受け部材６１を有する。
【００３１】
受け部材６１は、第２天井部２１の縁部２１ａに沿って長尺な金物で構成されている。このような金物で構成された受け部材６１は、天井パネル部材４０と天井パネル２６との隙間を覆う状態で野縁２５の端部に固定された見切り材として構成されている。そして、受け部材６１の上面には、天井パネル部材４０の他端部４０ｂが載置される受け面６１ａが形成されている。
そして、この受け面６１ａに載置された天井パネル部材４０は、水平方向に沿ってスライド自在となる。
【００３２】
更に、第２天井部２１の縁部２１ａは、吊り柱２２よりも第１建物躯体１０側にはね出すはね出し部とされている。そして、スライド機構部６０は、このはね出し部とされた縁部２１ａの上面を上記受け面６１ａとして、当該受け面６１ａに天井パネル部材４０の端部４０ｂを載置している。また、はね出し部とされた第２天井部２１の縁部２１ａと天井パネル部材４０の端部４０ｂとの重なり幅は、天井パネル部材４０の先端と吊り柱２２との間の隙間の幅と略同等のものとされている。このことで、第１建物躯体１０と第２建物躯体２０との距離が縮小するように両者が相対的に変動して天井パネル部材４０が吊り柱２２に接近する方向にスライドした場合であっても、吊り柱２２に対する天井パネル部材４０の端部４０ｂの衝突が抑制され、逆に、第１建物躯体１０と第２建物躯体２０との距離が拡大するように両者が相対的に変動して天井パネル部材４０が吊り柱２２から離間する方向にスライドした場合であっても、天井パネル部材４０がスライド機構部６０から脱落することが防止される。
また、天井パネル部材４０が吊り柱２２等に衝突した場合でも、柔軟な天井パネル部材４０が容易に変形すると共に、当該天井パネル部材４０の一端部４０ａが固定機構部５０にて確実に固定されていることから、当該天井パネル部材４０の脱落やその周辺部材の破壊や脱落が好適に防止される。
尚、第２天井部２１の縁部２１ａにおける第１建物躯体１０側へのはね出し幅や、その第２天井部２１の縁部２１ａと天井パネル部材４０の端部４０ｂとの重なり幅等については、適宜変更しても構わない。
【００３３】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３４】
（１）上記実施形態では、スライド機構部６０において、第２天井部２１の縁部２１ａを吊り柱２２よりも第１建物躯体１０側にはね出すはね出し部としたが、吊り柱２２に対する天井パネル部材４０の端部４０ｂの衝突を回避できる範囲内で、はね出し部とされた第２天井部２１の縁部２１ａのはね出し量及びその有無については適宜変更しても構わない。
【００３５】
（２）上記実施形態で説明した固定機構部５０において、第１天井部１１の縁部１１ａに固定された受け部材５１と、天井パネル部材４０の天井基材４１の上面に設置された抑え部材５２とについては、受け部材５１に天井パネル部材４０の一端部４０ａを載置した状態で抑え部材５２を受け部材５１に固定して、当該抑え部材５２と受け部材５１とで天井パネル部材４０の添え材４２を挟持するものであれば良く、そのような構成の範囲内で受け部材５１や抑え部材５２の形状を適宜変更可能である。
【００３６】
（３）上記実施形態では、固定機構部５０において、受け部材５１に対して抑え部材５２を螺子５６で固定したが、当該螺子５６以外の別の固定手段で固定しても構わない。
【符号の説明】
【００３７】
１０      建物躯体
１０      第１建物躯体
１１      第１天井部
１１ａ    縁部
１６      天井パネル
２０      建物躯体
２０      第２建物躯体
２１      第２天井部
２１ａ    縁部（はね出し部）
２６      天井パネル
３０      連絡部
３０ａ    隙間
４０      天井パネル部材
４０ａ    一端部
４０ｂ    他端部
４０ｃ    上面
４１      天井基材
４１ａ    両側辺部
４２      添え材
４２ａ    外面
５０      固定機構部
５１      受け部材
５２      抑え部材
５２Ａ    帯状部
５２Ｂ    折片部
５２Ｃ    刺込部
５６      螺子
６０      スライド機構部
６１      受け部材
１００    エキスパンションジョイント天井構造
【図１】
2020100973.tif 000003
【図２】
2020100973.tif 000004
【図３】
2020100973.tif 000005
【図４】
2020100973.tif 000006
【図５】
2020100973.tif 000007